(57)【要約】【課題】畳むことによって実際にコンパクトになるものを提供することにある。【解決手段】第１操作部２及び第２操作部３には携帯電話機Ｔの各側縁部Ｔ１ｇを各側縁部Ｔ１ｇの延在する方向に案内するガイド部２１ｂ、３１ｂを設け、下方支持部４は各ガイド部２１ｂ、３１ｂが互いに接した状態から携帯電話機Ｔへの装着を可能とする開いた状態となるまで、第１操作部２及び第２操作部３の相対位置を変化させるべく伸縮自在に構成し、かつ下方支持部４には各ガイド部２１ｂ、３１ｂで携帯電話機Ｔの各側縁部Ｔ１ｇを案内すべく第１操作部２及び第２操作部３の相対位置を調整した状態において、各ガイド部２１ｂ、３１ｂに案内された携帯電話機Ｔの下端部Ｔ１ｅの外部接続コネクタＴ１ｆに対応する位置に、外部接続コネクタＴ１ｆに接続可能な被接続コネクタ４３を設けた構成になっている。【選択図】  図１
2008124569.tif 000002
【特許請求の範囲】
【請求項１】
上部に画像表示部を有する携帯電話機における幅方向の各側縁部を支持すべく装着されることになる第１操作部及び第２操作部と、これらの第１操作部及び第２操作部を連結すると共に前記携帯電話機の下端部を支持すべく装着されることになる下方支持部とを備えた携帯電話機装着型ソフト実行用コントローラであって、
前記第１操作部及び前記第２操作部には、前記携帯電話機の前記各側縁部を当該各側縁部の延在する方向に案内するガイド部が設けられており、
前記下方支持部は、前記各ガイド部が互いに接した状態から前記携帯電話機への装着を可能とする開いた状態となるまで、前記第１操作部及び前記第２操作部の相対位置を変化させるべく伸縮自在に構成されており、
かつ前記下方支持部には、前記各ガイド部で前記携帯電話機の各側縁部を案内すべく前記第１操作部及び前記第２操作部の相対位置を調整した状態において、当該各ガイド部に案内された前記携帯電話機の下端部の外部接続コネクタに対応する位置に、当該外部接続コネクタに接続可能な被接続コネクタが設けられていることを特徴とする携帯電話機装着型ソフト実行用コントローラ。
【請求項２】
前記第１操作部及び前記第２操作部の少なくとも一方の前記ガイド部には、前記携帯電話機における前記各側縁部の少なくとも一方の側縁部に設けられた第２の外部接続コネクタに接続する第２の被接続コネクタが設けられており、
前記第２の被接続コネクタは、前記各ガイド部の間を開いて前記携帯電話機の前記外部接続コネクタに前記下方支持部の前記被接続コネクタを接続した状態において、前記ガイド部で当該携帯電話機の前記側縁部を案内すべく前記下方支持部を縮めた際に、当該第２の外部接続コネクタに接続されるようになっていることを特徴とする請求項１に記載の携帯電話機装着型ソフト実行用コントローラ。
【請求項３】
前記第１操作部、前記第２操作部及び前記下方支持部の少なくとも一つには、前記携帯電話機の既存の電源に代えて当該携帯電話機を駆動するバッテリが収納されるようになっていることを特徴とする請求項１又は２に記載の携帯電話機装着型ソフト実行用コントローラ。
【発明の詳細な説明】
【技術分野】
【０００１】
本発明は、携帯電話機に装着することによって、当該携帯電話機によるゲーム等のアプリケーションソフトウエア（以下、「ソフト」という）の実行にあたり、その実行時の操作性の向上を図るための携帯電話機装着型ソフト実行用コントローラに関する。
【背景技術】
【０００２】
昨近の携帯電話機は、通信機能だけでなく、ゲーム等のソフトをダウンロードして実行する機能を備えたものが多く提供されている。ただし、携帯電話機における各操作釦等はソフトを実行するために適したものではないため、ゲーム専用機のコントローラを用いるような感覚ではソフトを楽しむことができない。このため、ソフトの実行に適した携帯電話機装着型ソフト実行用コントローラが開発されている。
【０００３】
この携帯電話機装着型ソフト実行用コントローラとしては、携帯電話機の外部接続コネクタに接続する被接続コネクタがコントローラの本体部等から延びるコードの先端部に取り付けられ、携帯電話機に装着した後に、被接続コネクタを外部接続コネクタに自由に接続することが可能に構成され、かつ携帯電話機に装着しない不使用時にはコンパクトに畳むことが可能に構成されたもが知られている（例えば、特許文献１、２参照）。
【０００４】
また、他の携帯電話機装着型ソフト実行用コントローラとしては、上記被接続コネクタがコントローラの本体部等に取り付けられているものもある（例えば、特許文献１の図８〜図１３）。
【特許文献１】特開２００３−１８２７５号公報
【特許文献２】特開２００４−１４６９８６号公報
【発明の開示】
【発明が解決しようとする課題】
【０００５】
ところが、上記携帯電話機装着型ソフト実行用コントローラにおいては、被接続コネクタがコントローラの本体部等からコードを介して垂れ下がった状態になるため、不使用時には畳むことが可能になっていても、実際にはコンパクトにすることができないという問題がある。また、他の携帯電話機装着型ソフト実行用コントローラにおいては、被接続コネクタがコントローラの本体部等に設けられているが、その構造上、畳むことができず、この場合もコンパクトにすることができないという問題がある。
【０００６】
本発明は、上記事情に鑑みてなされたものであり、不使用時には畳むことができ、かつその畳むことによって実際にコンパクトにすることができる携帯電話機装着型ソフト実行用コントローラを提供することを目的としている。
【課題を解決するための手段】
【０００７】
上記目的を達成するために、請求項１に記載の発明は、上部に画像表示部を有する携帯電話機における幅方向の各側縁部を支持すべく装着されることになる第１操作部及び第２操作部と、これらの第１操作部及び第２操作部を連結すると共に前記携帯電話機の下端部を支持すべく装着されることになる下方支持部とを備えた携帯電話機装着型ソフト実行用コントローラであって、前記第１操作部及び前記第２操作部には、前記携帯電話機の前記各側縁部を当該各側縁部の延在する方向に案内するガイド部が設けられており、前記下方支持部は、前記各ガイド部が互いに接した状態から前記携帯電話機への装着を可能とする開いた状態となるまで、前記第１操作部及び前記第２操作部の相対位置を変化させるべく伸縮自在に構成されており、かつ前記下方支持部には、前記各ガイド部で前記携帯電話機の各側縁部を案内すべく前記第１操作部及び前記第２操作部の相対位置を調整した状態において、当該各ガイド部に案内された前記携帯電話機の下端部の外部接続コネクタに対応する位置に、当該外部接続コネクタに接続可能な被接続コネクタが設けられていることを特徴としている。
【０００８】
請求項２に記載の発明は、請求項１に記載の発明において、前記第１操作部及び前記第２操作部の少なくとも一方の前記ガイド部には、前記携帯電話機における前記各側縁部の少なくとも一方の側縁部に設けられた第２の外部接続コネクタに接続する第２の被接続コネクタが設けられており、
前記第２の被接続コネクタは、前記各ガイド部の間を開いて前記携帯電話機の前記外部接続コネクタに前記下方支持部の前記被接続コネクタを接続した状態において、前記ガイド部で当該携帯電話機の前記側縁部を案内すべく前記下方支持部を縮めた際に、当該第２の外部接続コネクタに接続されるようになっていることを特徴としている。
【０００９】
請求項３に記載の発明は、請求項１又は２に記載の発明において、前記第１操作部、前記第２操作部及び前記下方支持部の少なくとも一つには、前記携帯電話機の既存の電源に代えて当該携帯電話機を駆動するバッテリが収納されるようになっていることを特徴としている。
【発明の効果】
【００１０】
請求項１に記載の発明によれば、不使用時には、下方支持部を縮めることによって、各ガイド部が接する状態まで小さく畳むことができる。しかも、携帯電話機の外部接続コネクタに接続する被接続コネクタが下方支持部に設けられているので、当該被接続コネクタがコードを介して垂れ下がることがない。従って、畳むことによって実際にコンパクトな状態にすることができる。
【００１１】
また、各ガイド部で携帯電話機の各側縁部を案内すべく第１操作部及び第２操作部の相対位置を調整した状態において、当該各ガイド部に案内された携帯電話機の下端部の外部接続コネクタに対応する下方支持部の位置に、当該外部接続コネクタに接続可能な被接続コネクタが設けられているので、上記のように第１操作部及び第２操作部の相対位置を調整することにより、携帯電話機に容易に装着することができると共に、当該携帯電話機の外部接続コネクタに被接続コネクタを容易に接続することができる。しかも、被接続コネクタを外部接続コネクタに接続した状態において、各ガイド部によって携帯電話機を安定的に保持することができる。
【００１２】
請求項２に記載の発明によれば、携帯電話機の側縁部に第２の外部接続コネクタが設けられているが、外部接続コネクタと被接続コネクタとを接続した後、下方支持部を縮めるだけで、第２の被接続コネクタを第２の外部接続コネクタに容易に接続することができる。
【００１３】
請求項３に記載の発明によれば、第１操作部、第２操作部及び下方支持部の少なくとも一つに、携帯電話機の既存の電源に代えて当該携帯電話機を駆動するバッテリが収納されるようになっているので、携帯電話機の電源の電力を消費させることなく、ソフトを実行することができる。また、携帯電話機の電源の電力を完全に消費してしまった後でも、当該携帯電話機の電源としてバッテリを使用し、通話等をすることができる利点もある。
【発明を実施するための最良の形態】
【００１４】
（第１の実施の形態）
本発明を実施するための最良の形態としての第１の実施の形態について図面を参照しながら説明する。
【００１５】
この第１の実施の形態で示す携帯電話機装着型ソフト実行用コントローラ１は、図１〜図１０に示すように、携帯電話機Ｔに装着すべく、第１操作部２と、第２操作部３と、これらの第１及び第２操作部２、３を連結する下方支持部４とを備えた構成になっている。
【００１６】
携帯電話機Ｔは、図１〜図４に示すように、本体部Ｔ１と、この本体部Ｔ１の上端部に位置するヒンジ部Ｔ１１を介して回動自在に設けられ、本体部Ｔ１の正面Ｔ１ａを覆う閉状態から当該正面Ｔ１ａを完全に開放する開状態まで変位する蓋部Ｔ２とを備えている。
【００１７】
本体部Ｔ１は、ほぼ一定の厚さに形成されていると共に、正面Ｔ１ａが上下方向に長い直角四角形に形成されている。正面Ｔ１ａには、電話番号、文字、記号等を入力するための複数の押し釦Ｔ１ｂや、多方向キーＴ１ｃ等が設けられ、押し釦Ｔ１ｂの下側にマイク開口部Ｔ１ｄが設けられている。また、本体部Ｔ１の下端部Ｔ１ｅには、携帯電話機Ｔへの電力の供給や、外部装置とのデータ通信を行うための外部接続コネクタＴ１ｆが設けられている。この外部接続コネクタＴ１ｆは、下端部Ｔ１ｅにおける下端面に開口したものとなっている。
【００１８】
一方、蓋部Ｔ２は、本体部Ｔ１の正面Ｔ１ａを完全に開放することによって、当該本体部Ｔ１の上方に位置し、この状態における正面Ｔ２ａが上下方向に長い直角四角形に形成されている。この正面Ｔ２ａには、直角四角形状の液晶ディスプレイ（画像表示部）Ｔ２ｂが設けられている。また、正面Ｔ２ａには、液晶ディスプレイＴ２ｂの上側にスピーカ開口部Ｔ２ｃが設けられている。
【００１９】
また、携帯電話機Ｔは、ＣＰＵ、ＲＡＭ、ＲＯＭ等を有する制御部や、音声処理部、送受信部、電源部等を有しており、インターネットやパソコン等を介してダウンロードしたゲーム等のソフトを液晶ディスプレイＴ２ｂに出力しながら実行することができるようになっている。なお、外部接続コネクタＴ１ｆは、パソコン等の外部装置からソフトをダウンロードする際に使用可能であると共に、本第1の実施の形態で説明する携帯電話機装着型ソフト実行用コントローラ１から出力される操作信号としての電気信号を入力するために用いられる。
【００２０】
なお、携帯電話機Ｔの上下方向については、液晶ディスプレイＴ３ａが携帯電話機Ｔの中心部に対して偏って存在する側を上方とすることにより特定している。
【００２１】
第１操作部２及び第２操作部３は、図１〜図５に示すように、携帯電話機Ｔの本体部Ｔ１における幅方向の各側縁部Ｔ１ｇを支持すべく装着されるようになっている。また、下方支持部４は、携帯電話機Ｔの下端部Ｔ１ｅを支持すべく装着されるようになっている。これにより、携帯電話機装着型ソフト実行用コントローラ１は、携帯電話機Ｔの側方及び下方の三方を囲むようにして当該携帯電話機Ｔに装着されるようになっている。
【００２２】
第１操作部２及び第２操作部３は、それぞれが四角形状の箱状に形成されたケーシング２１、３１を備えている。各ケーシング２１、３１は、上下方向に長い直角四角形状の操作面２１ａ、３１ａを有し、各操作面２１ａ、３１ａが同一平面上に位置し、かつ互いに平行となるように下方支持部４に連結されている。
【００２３】
更に、各ケーシング２１、３１には、互いに対向する面に、本体部Ｔ１の各側縁部Ｔ１ｇを当該各側縁部Ｔ１ｇの延在する方向に移動自在に案内するガイド部２１ｂ、３１ｂが設けられている。各ガイド部２１ｂ、３１ｂは、各側縁部Ｔ１ｇを収容すべく断面が凹状に形成されている。
【００２４】
また、操作面２１ａには、上下左右の方向を指示するのに適した十字キー２２が設けられ、操作面３１ａには、スピードや性能等の各種の条件などを選択するのに適した４つの押し釦３２が設けられている。更に、各ケーシング２１、３１内には、十字キー２２や押し釦３２の操作を電気信号に変換し、後述する被接続コネクタ４３を介して携帯電話機Ｔの外部接続コネクタＴ１ｆに出力する制御回路が設けられている。
【００２５】
また、第２操作部３のケーシング３１には、制御回路等の電源となると共に、被接続コネクタ４３が外部接続コネクタＴ１ｆに接続された際に、携帯電話機Ｔにおける既存の電源に代えて当該携帯電話機Ｔを駆動するためのバッテリ（この例では単三乾電池２本）３３が収容されるようになっている。図１中の３１ｃは、バッテリ収容部の蓋である。なお、図１中の２１ｃは、左右のケーシング２１、３１の外観構成をほぼ同一にすべく設けられた凸部である。ただし、ケーシング２１においてもバッテリ収容部を設けて、凹部２１ｃをバッテリ収容部の蓋として構成してもよい。
【００２６】
下方支持部４は、各ガイド部２１ｂ、３１ｂが互いに接した状態から、当該各ガイド部２１ｂ、３１ｂが携帯電話機Ｔの各側縁部Ｔ１ｇを案内する開いた状態になるまで、第１操作部２と第２操作部３との間隔を相対的に変動させるべく伸縮自在に構成されている。
【００２７】
即ち、下方支持部４は、第１摺動部４１と、この第１摺動部４１内に摺動自在に嵌合する第２摺動部４２とを備えている。第１摺動部４１は、図６〜図１０に示すように、断面が直角四角形状に形成された四角筒部４１ａに、凹状切欠部４１ｂ（図６において太線で示した）、スリット４１ｃ及び端面閉塞部４１ｄを備えている。
【００２８】
凹状切欠部４１ｂは、四角筒部４１ａにおける一つの壁部である上壁部４１ｅに、当該上壁部４１ｅの軸方向の一方の端面から他方の端面に向けて凹状に形成されたものである。この凹状切欠部４１ｂにおける左右の側縁部は、図９及び図１０に示すように、上壁部４１ｅに隣接する左右の側壁部４１ｆに対して内側に突出するリブ４１ｇとなっている。各リブ４１ｇは、第１摺動部４１における凹状切欠部４１ｂの部分に第２摺動部４２が嵌合した状態においても、当該第２摺動部４２を軸方向に摺動自在に案内する状態を維持するようになっている。また、凹状切欠部４１ｂは、携帯電話機Ｔの下端部Ｔ１ｅを下方支持部４内に案内するための開口部になっている。
【００２９】
スリット４１ｃは、図７及び図８に示すように、上壁部４１ｅに対向する下壁部４１ｈにおける幅方向の中心位置に軸方向に延在すべく形成されている。このスリット４１ｃは、後述するストッパピン４２ｓが摺動自在に嵌合することによって、第２摺動部４２が第１摺動部４１から抜け落ちるのを防止すると共に、第２摺動部４２の摺動ストロークを一定の範囲に制限するようになっている。即ち、下方支持部４の伸縮ストロークを一定の範囲に抑えるようになっている。
【００３０】
また、端面閉塞部４１ｄは、四角筒部４１ａの他方の端部を閉塞するように、当該四角筒部４１ａに一体的に設けられている。
【００３１】
第２摺動部４２は、図６〜図１０に示すように、断面が直角四角形状に形成された四角筒部４２ａに、切欠部４２ｂ（図６において太線で示した）、ガイド凹部４２ｃ及び端面閉塞部４２ｄを備えている。
【００３２】
切欠部４２ｂは、図６及び図７に示すように、四角筒部４２ａにおける一つの壁部である上壁部４２ｅを軸方向の一方（第１摺動部４１側）の端面から当該軸方向の他方の端面側に所定の長さ切り欠いた形状に形成されている。これにより、第２摺動部４２における切欠部４２ｂを有する部分が第１摺動部４１の内面に摺動自在に嵌合するようになっている。また、この嵌合状態において、上壁部４２ｅは、その上面が第１摺動部４１の上壁部４１ｅの上面と同一平面上に位置するようになっている。
【００３３】
また、上壁部４２ｅは、図６及び図１０に示すように、第１摺動部４１の凹状切欠部４１ｂ内に挿入可能なようにその幅方向の寸法が設定されていると共に、その幅方向の両端部が第１摺動部４１のリブ４１ｇによって摺動自在に支持されることになるガイド凹部４２ｃとなっている。また、端面閉塞部４２ｄは、四角筒部４２ａの他方の端部を閉塞するように、当該四角筒部４２ａに一体的に設けられている。
【００３４】
一方、上壁部４２ｅに対向する下壁部４２ｈには、図７に示すように、軸方向の一方の端部から上方に立ち上がるリブ４２ｇが設けられている。更に、下壁部４２ｈ上には、図７及び図８に示すように、第２摺動部４２における左右の側壁部４２ｆ、リブ４２ｇと共同して被接続コネクタ４３を下壁部４２ｈ上の所定の位置に位置決めするための位置決め部材４２ｊが設けられている。この位置決め部材４２ｊは、ビス４２ｎによって下壁部４２ｈに固定されるようになっている。なお、位置決め部材４２ｊは、溶接や接着等により下壁部４２ｈに固定するようにしてもよい。
【００３５】
被接続コネクタ４３は、本体部４３ａと、この本体部４３ａの上面から突出する端子部４３ｂとを備えている。そして、本体部４３ａが左右の側壁部４２ｆ、リブ４２ｇ及び位置決め部材４２ｊによって下壁部４２ｈ上に位置決めされた状態で、当該位置に、例えば接着等によって固定されるようになっている。
【００３６】
また、位置決め部材４２ｊには、図７及び図９に示すように、下壁部４２ｈに形成された貫通孔を介して下方に突出するストッパピン４２ｓが固定されている。
【００３７】
ストッパピン４２ｓは、円柱状に形成されたものであり、第１摺動部４１内に第２摺動部４２を嵌合した状態において、スリット４１ｃに挿入し、この状態で、その軸方向の上端部がビス４２ｋによって位置決め部材４２ｊに固定されるようになっている。なお、ストッパピン４２ｓは、溶接や接着等により位置決め部材４２ｊに固定するようにしてもよい。
【００３８】
このように構成された下方支持部４には、図１に示すように、第１摺動部４１における上壁部４１ｅの上面に第１操作部２が溶接、接着、ビス等の手段で固定され、第２摺動部４２における上壁部４２ｅの上面に第２操作部３が溶接、接着、ビス等の手段で固定されるようになっている。そして、下方支持部４が最も伸びた状態において、第１操作部２及び第２操作部３の間隔が、各ガイド部２１ｂ、３１ｂによって携帯電話機Ｔの各側縁部Ｔ１ｇを摺動自在に案内することが可能な間隔となり、当該下方支持部４が最も縮められた状態において、各ガイド部２１ｂ、３１ｂが互いに接触する最小の形態まで畳まれるようになっている。また、下方支持部４が最も伸びた状態においては、図６に示すように、第１摺動部４１の凹状切欠部４１ｂと、第２摺動部４２の切欠部４２ｂとが重なった状態になり、これらの凹状切欠部４１ｂ及び切欠部４２ｂが、携帯電話機Ｔの下端部Ｔ１ｅを下方支持部４内に案内するための開口部になっている。
【００３９】
被接続コネクタ４３は、各ガイド部２１ｂ、３１ｂによって各側縁部Ｔ１ｇが案内されて挿入される携帯電話機Ｔの外部接続コネクタＴ１ｆに端子部４３ｂが嵌るように、第２摺動部４２における所定の位置に設置されている。
【００４０】
上記のように構成された携帯電話機装着型ソフト実行用コントローラ１においては、携帯電話機Ｔの外部接続コネクタＴ１ｆに接続する被接続コネクタ４３を下方支持部４に設けた構造になっているので、被接続コネクタがコードを介して垂れ下がることがなく、全体的にコンパクトに構成することができる。しかも、携帯電話機Ｔに装着しない不使用時には、下方支持部４を縮めることによって、第１操作部２と第２操作部３とがガイド部２１ｂ、３１ｂの位置で互いに接した状態になるまで縮小することができる。従って、コンパクト性の向上を図ることができる。
【００４１】
また、下方支持部４を最大に伸ばすことにより、各ガイド部２１ｂ、３１ｂで携帯電話機Ｔの各側縁部Ｔ１ｇを案内すべく第１操作部２及び第２操作部３の相対位置が調整された状態になり、かつ当該各ガイド部２１ｂ、３１ｂに案内された携帯電話機Ｔの外部接続コネクタＴ１ｆに対応する下方支持部４の位置に、当該外部接続コネクタＴ１ｆに接続可能な被接続コネクタ４３が設けられているので、携帯電話機Ｔに容易に装着することができると共に、外部接続コネクタＴ１ｆに被接続コネクタ４３を容易に接続することができる。
【００４２】
しかも、外部接続コネクタＴ１ｆに被接続コネクタ４３を接続した状態において、携帯電話機Ｔの各側縁部Ｔ１ｇを各ガイド部２１ｂ、３１ｂで保持した状態になるので、外部接続コネクタＴ１ｆや被接続コネクタ４３に大きな負荷がかかるのを防止しながら、携帯電話機Ｔに安定的に装着することができる。
【００４３】
また、携帯電話機Ｔにおける既存の電源に代えて当該携帯電話機Ｔを駆動するバッテリ３３を、第２操作部３内に収納すべく構成しているので、携帯電話機Ｔの電源の電力を消費させることなく、ゲーム等のソフトを実行することができる。しかも、携帯電話機Ｔの電源の電力を完全に消費してしまった後であっても、当該携帯電話機Ｔの電源としてバッテリ３３を使用して、通話等を行うことができる利点もある。
【００４４】
｛発明を実施するための異なる形態｝
（第２の実施の形態）
次に、本発明を実施するための異なる形態としての第２の実施の形態について図１１〜図１３を参照しながら説明する。但し、第１の実施の形態で示した構成要素と共通する要素には同一の符号を付し、その説明を簡略化する。
【００４５】
この第２の実施の形態で示す携帯電話機装着型ソフト実行用コントローラ１０が第１の実施の形態で示した携帯電話機装着型ソフト実行用コントローラ１と異なる点は、携帯電話機Ｔの一方の側縁部Ｔ１ｇに第２の外部接続コネクタＴ１ｈが設けられ、この第２の外部接続コネクタＴ１ｈに接続する第２の被接続コネクタ２３が第１操作部２のガイド部２１ｂに設けられている点である。
【００４６】
即ち、携帯電話機Ｔには、第２の外部接続コネクタＴ１ｈが一方の側縁部Ｔ１ｇにおける側面に開口べく設けられている。また、第１操作部２には、第２の被接続コネクタ２３がガイド部２１ｂにおける凹状の底面位置２１ｄから突出すべく設けられている。
【００４７】
また、下方支持部４は、図１３に示すように、スリット４１ｃが上述した第１の実施の形態のものに比べて長く形成され、下方支持部４が最大に伸びた際の長さが増加されており、各ガイド部２１ｂ、３１ｂの間隔がより大きく開くように構成されている。そして、各ガイド部２１ｂ、３１ｂの間を最大に開くことにより、携帯電話機Ｔは、図１１に示すように、ガイド部２１ｂの底面位置２１ｄから突出する第２の被接続コネクタ２３に当たることなく、第１操作部２と第２操作部３との間に挿入可能になっている。この場合、第２摺動部４２における被接続コネクタ４３は、図１１及び図１３に示すように、携帯電話機Ｔの一方の側縁部Ｔ１ｇを第２操作部３のガイド部３１ｂに案内させた状態における当該携帯電話機Ｔの外部接続コネクタＴ１ｆに対応する位置に設置されている。
【００４８】
一方、ガイド部２１ｂにおける第２の被接続コネクタ２３は、図１１に示すように、携帯電話機Ｔの外部接続コネクタＴ１ｆを第２摺動部４２の被接続コネクタ４３に接続した状態において、携帯電話機Ｔにおける第２の外部接続コネクタＴ１ｈに対応する位置に配置さており、ガイド部２１ｂ内に一方の側縁部Ｔ１ｇを挿入すべく下方支持部４を縮めることにより、図１２に示すように、当該第２の外部接続コネクタＴ１ｈに接続することが可能になっている。
【００４９】
上記のように構成された携帯電話機装着型ソフト実行用コントローラ１０においては、携帯電話機Ｔの一方の側縁部Ｔ１ｇに第２の外部接続コネクタＴ１ｈが設けられ、この第２の外部接続コネクタＴ１ｈに対応した第２の被接続コネクタ２３が一方のガイド部２１ｂに設けられているが、下方支持部４を伸ばすことにより、携帯電話機Ｔの外部接続コネクタＴ１ｆを下方支持部４の被接続コネクタ４３に接続することができ、この状態から下方支持部４を縮めることにより、携帯電話機Ｔの第２の外部接続コネクタＴ１ｈを第１操作部２の第２の被接続コネクタ２３に接続することができる。従って、携帯電話機Ｔの下端部Ｔ１ｅ及び側縁部Ｔ１ｇに外部接続コネクタＴ１ｆ、第２の外部接続コネクタＴ１ｈが設けられている場合でも、当該携帯電話機Ｔに容易に装着することができる。しかも、不使用時には、下方支持部４を縮めることによって、各ガイド部２１ｂ、３１ｂが接触した状態まで縮小することができるので、コンパクト性が損なわれることがない。
【００５０】
なお、上記第１の実施の形態においては、各ガイド部２１ｂ、３１ｂ間に携帯電話機Ｔが挿入可能となるような長さに、下方支持部４の最大長さを設定するように構成したが、下方支持部４については、当該長さより長く伸びるように構成してもよい。
【００５１】
また、上記第２の実施の形態においては、携帯電話機Ｔの一方の側縁部Ｔ１ｇに第２の外部接続コネクタＴ１ｈを設け、一方の第１操作部２にのみ第２の被接続コネクタ２３を設けた例を示したが、携帯電話機Ｔの他方の側縁部Ｔ１ｇにも第２の外部接続コネクタＴ１ｈを設け、この第２の外部接続コネクタＴ１ｈに接続する第２の被接続コネクタ２３を第２操作部３のガイド部３１ｂに設けるように構成してもよい。ただし、この場合には、被接続コネクタ４３を第２摺動部４２に対して伸縮方向に移動可能に構成し、下方支持部４を最大に伸ばした状態において、携帯電話機Ｔの外部接続コネクタＴ１ｆを下方支持部４の被接続コネクタ４３に接続した際に、第２操作部３に設けた第２の被接続コネクタ２３と携帯電話機Ｔの他方の側縁部Ｔ１ｇとの間に多少の隙間があくように構成する必要がある。
【００５２】
更に、不使用時には、各ガイド部２１ｂ、３１ｂが互いに接触した状態となるように、下方支持部４を縮める方向に弾性力を付与するバネ等の弾性部材を下方支持部４内等に設けるように構成してもよい。この場合には、弾性力によって、各ガイド部２１ｂ、３１ｂが携帯電話機Ｔの各側縁部Ｔ１ｇに押し付けられた状態になるので、より安定的に携帯電話機Ｔに装着することができる。
【００５３】
また、第１の実施の形態及び第２の実施の形態においては、バッテリ３３を第２操作部３内に収容するように構成したが、このバッテリ３３は、第１操作部２内や、下方支持部４内に収容するように構成してもよい。
【００５４】
更に、携帯電話機Ｔとして、本体部Ｔ１と蓋部Ｔ２とをヒンジ部Ｔ１１を介して折り畳む構造のものを示したが、この携帯電話機としては、画像表示部を有する蓋部が本体部に対して上下方向にスライドする構造のものや、本体部における正面の上部に画像表示部を単に設けたもの等であってもよい。
【図面の簡単な説明】
【００５５】
【図１】本発明の第１の実施の形態として示した携帯電話機装着型ソフト実行用コントローラであって、携帯電話機に装着する途中の状態を示す正面図である。
【図２】同携帯電話機装着型ソフト実行用コントローラであって、携帯電話機に完全に装着した後の状態を示す正面図である。
【図３】同携帯電話機装着型ソフト実行用コントローラであって、下方支持部を縮めて畳んだ状態を示す正面図である。
【図４】同携帯電話機装着型ソフト実行用コントローラであって、図１のIV−IV線に沿う断面図である。
【図５】同携帯電話機装着型ソフト実行用コントローラであって、図１のＶ−Ｖ線に沿う断面図である。
【図６】同携帯電話機装着型ソフト実行用コントローラであって、図１のVI−VI線に沿う断面図であり、（ａ）は嵌合している第１摺動部と第２摺動部とを共に示した図、（ｂ）は第１摺動部を示した図、（ｃ）は第２摺動部を示した図である。
【図７】同携帯電話機装着型ソフト実行用コントローラであって、図６のVII−VII線に沿う断面図であり、（ａ）は下方支持部を最も伸ばした図、（ｂ）は下方支持部を最も縮めた図である。
【図８】同携帯電話機装着型ソフト実行用コントローラであって、図７のVIII−VIII線に沿う断面図であり、（ａ）は下方支持部を最も伸ばした図、（ｂ）は下方支持部を最も縮めた図である。
【図９】同携帯電話機装着型ソフト実行用コントローラであって、図７のIX−IX線に沿う断面図である。
【図１０】同携帯電話機装着型ソフト実行用コントローラであって、図７のＸ−Ｘ線に沿う断面図である。
【図１１】本発明の第２の実施の形態として示した携帯電話機装着型ソフト実行用コントローラであって、被接続コネクタを携帯電話機の外部接続コネクタに接続した後の状態を示す正面図である。
【図１２】同携帯電話機装着型ソフト実行用コントローラであって、携帯電話機に完全に装着した後の状態を示す正面図である。
【図１３】同携帯電話機装着型ソフト実行用コントローラの下方支持部を示す断面図であり、（ａ）は下方支持部を最も伸ばした図、（ｂ）は下方支持部を最も縮めた図である。
【符号の説明】
【００５６】
１、１０  携帯電話機装着型ソフト実行用コントローラ
２  第１操作部
３  第２操作部
４  下方支持部
２１ｂ、３１ｂ  ガイド部
２３  第２の被接続コネクタ
３３  バッテリ
４３  被接続コネクタ
Ｔ  携帯電話機
Ｔ１ｅ  下端部
Ｔ１ｆ  外部接続コネクタ
Ｔ１ｇ  側縁部
Ｔ１ｈ  第２の外部接続コネクタ
Ｔ２ｂ  液晶ディスプレイ（画像表示部）
【図１】
2008124569.tif 000003
【図２】
2008124569.tif 000004
【図３】
2008124569.tif 000005
【図４】
2008124569.tif 000006
【図５】
2008124569.tif 000007
【図６】
2008124569.tif 000008
【図７】
2008124569.tif 000009
【図８】
2008124569.tif 000010
【図９】
2008124569.tif 000011
【図１０】
2008124569.tif 000012
【図１１】
2008124569.tif 000013
【図１２】
2008124569.tif 000014
【図１３】
2008124569.tif 000015